(57)【要約】【課題】操作ノブを正規の姿勢以外の不正規の姿勢でスイッチ本体に組み付けることを抑制可能なシーソースイッチを提供する。【解決手段】本発明に係るシーソースイッチは、揺動軸を有するスイッチ本体と、前記揺動軸を支持可能な支持部を有し、前記揺動軸が前記支持部に支持された組付状態において前記揺動軸を中心として揺動可能な操作ノブと、を備え、前記スイッチ本体は、前記操作ノブに向けて突出する凸部を有し、前記操作ノブを正規の姿勢で前記スイッチ本体に組み付けた前記組付状態では、前記凸部が前記支持部に干渉せず、前記操作ノブを正規の姿勢以外の不正規の姿勢で前記スイッチ本体に組み付ける際に、前記凸部が前記支持部に干渉する。【選択図】図３
2020161212.tif 000002
【特許請求の範囲】
【請求項１】
揺動軸を有するスイッチ本体と、
前記揺動軸を支持可能な支持部を有し、前記揺動軸が前記支持部に支持された組付状態において前記揺動軸を中心として揺動可能な操作ノブと、を備え、
前記スイッチ本体は、前記操作ノブに向けて突出する凸部を有し、
前記操作ノブを正規の姿勢で前記スイッチ本体に組み付けた前記組付状態では、前記凸部が前記支持部に干渉せず、
前記操作ノブを正規の姿勢以外の不正規の姿勢で前記スイッチ本体に組み付ける際に、前記凸部が前記支持部に干渉する、
シーソースイッチ。
【請求項２】
前記操作ノブは、前記組付状態において前記凸部の先端に当接可能な凹部を有し、前記操作ノブを揺動させると前記先端を中心として前記凹部が前記凸部に対して揺動する、
請求項１に記載のシーソースイッチ。
【請求項３】
前記凸部は、前記先端に向かうに従って先細りする逆Ｖ字状の形状を有し、
前記凹部は、前記凸部よりも大きい開き角を有するＶ字状の切欠きである、
請求項２に記載のシーソースイッチ。
【請求項４】
前記凹部は、前記組付状態において、前記凸部と面同士で接触することによって、揺動範囲が規制される、
請求項３に記載のシーソースイッチ。
【請求項５】
前記支持部は、前記スイッチ本体に向けて突出する一対の脚部であり、
前記揺動軸は、前記操作ノブに向けて突出し前記一対の脚部の間に支持可能な凸状揺動軸である、
請求項２から４のいずれか一項に記載のシーソースイッチ。
【請求項６】
前記一対の脚部のうち一方の脚部が他方の脚部よりも上下方向の長さが短く、当該一方の脚部の下側端縁に前記凹部が配置される、
請求項５に記載のシーソースイッチ。
【請求項７】
前記凸部と前記揺動軸とが一体であり、前記凸部の先端の左右方向の位置と、前記揺動軸の中心軸の左右方向の位置と、が一致する、
請求項５又は６に記載のシーソースイッチ。
【請求項８】
前記凸部と前記揺動軸とが一体であり、前記凸部の先端の左右方向の位置と、前記揺動軸の中心軸の左右方向の位置と、がずれている、
請求項５又は６に記載のシーソースイッチ。
【発明の詳細な説明】
【技術分野】
【０００１】
本発明は、シーソースイッチに関する。
【背景技術】
【０００２】
長手方向に延びる操作ノブがスイッチ本体に揺動可能に組み付けられたシーソースイッチが公知である（例えば、特許文献１参照）。例えば、操作ノブの表面には、長手方向の両端部に一対の押圧部が設けられ、操作ノブの裏面には、前記押圧部の裏面側に一対のボスが設けられる。前記押圧部を押すと、前記ボスがスイッチ本体の押しボタンスイッチを押し込んでスイッチがＯＮ状態となる。
【先行技術文献】
【特許文献】
【０００３】
【特許文献１】特開２００８−３００１２２号公報
【発明の概要】
【発明が解決しようとする課題】
【０００４】
しかし、それぞれのボスの長さが異なっている場合、操作ノブを上下逆の不正規の姿勢でスイッチ本体に組み付けると、押圧部を押したときの操作ノブのストロークが正規の姿勢で組み付けたときに対して相違する可能性がある。
【０００５】
本発明は、上記に鑑みてなされたものであって、操作ノブを正規の姿勢以外の不正規の姿勢でスイッチ本体に組み付けることを抑制可能なシーソースイッチを提供することを目的とする。
【課題を解決するための手段】
【０００６】
上述した課題を解決し、目的を達成するために、本発明に係るシーソースイッチは、揺動軸を有するスイッチ本体と、前記揺動軸を支持可能な支持部を有し、前記揺動軸が前記支持部に支持された組付状態において前記揺動軸を中心として揺動可能な操作ノブと、を備え、前記スイッチ本体は、前記操作ノブに向けて突出する凸部を有し、前記操作ノブを正規の姿勢で前記スイッチ本体に組み付けた前記組付状態では、前記凸部が前記支持部に干渉せず、前記操作ノブを正規の姿勢以外の不正規の姿勢で前記スイッチ本体に組み付ける際に、前記凸部が前記支持部に干渉する。
【発明の効果】
【０００７】
本発明によれば、操作ノブを正規の姿勢以外の不正規の姿勢でスイッチ本体に組み付けることが抑制可能となる。
【図面の簡単な説明】
【０００８】
【図１】図１は、第１実施形態に係るシーソースイッチのスイッチ本体を示す斜視図である。
【図２】図２は、第１実施形態に係るシーソースイッチの操作ノブを裏面側から見た斜視図である。
【図３】図３は、第１実施形態に係るシーソースイッチを上から見た断面図である。
【図４】図４は、スイッチ本体に設けられる凸部と操作ノブに設けられる凹部とを上から見た模式図であり、凹部の左右両側面と凸部の左右両側面とが左右均等に離隔している状態を示す図である。
【図５】図５は、スイッチ本体に設けられる凸部と操作ノブに設けられる凹部とを上から見た模式図であり、凹部の左右両側面の一方と凸部の左右両側面の一方とが接触している状態を示す図である。
【図６】図６は、第２実施形態に係るシーソースイッチのスイッチ本体を示す斜視図である。
【図７】図７は、第２実施形態に係るシーソースイッチの操作ノブを裏面側から見た斜視図である。
【図８】図８は、第３実施形態に係るシーソースイッチのスイッチ本体を示す斜視図である。
【図９】図９は、スイッチ本体に設けられる凸部と操作ノブに設けられる凹部とを上から見た断面図であり、右側の押圧部を押した状態を示す図である。
【図１０】図１０は、図９の一部を拡大した図である。
【図１１】図１１は、スイッチ本体に設けられる凸部と操作ノブに設けられる凹部とを上から見た模式図であり、左側の押圧部を押した状態を示す図である。
【図１２】図１２は、図１１の一部を拡大した図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１０】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
[第１実施形態]
まず、第１実施形態に係るシーソースイッチについて説明する。図１は、第１実施形態に係るシーソースイッチのスイッチ本体を示す斜視図である。図２は、第１実施形態に係るシーソースイッチの操作ノブを裏面側から見た斜視図である。
【００１２】
シーソースイッチ１は、スイッチ本体２と、操作ノブ３と、を備える。
【００１３】
図１に示すように、スイッチ本体２は、筐体２１と、揺動軸４と、凸部５と、を有する。筐体２１は、上側に配置される上壁部２１１と、上壁部２１１の前端から下方に延びる縦壁部２１２と、縦壁部２１２の下端から上壁部２１１と平行に延びる下壁部２１３と、を有する。縦壁部２１２には、左右方向の中央部に第１の開口部２１４が設けられる。第１の開口部２１４は、正面視が矩形状の形状を有する。第１の開口部２１４の開口壁面部２１５に揺動軸４及び凸部５が形成されている。揺動軸４は、中心軸Ａｘ０に沿った上下方向に延びる半円柱の形状を有する。半円柱は、円柱が２つに縦分割された柱状の部材であり、底面及び上面は半円の形状を有する。揺動軸４の上端部４１は、第１の開口部２１４における上側の開口壁面部２１５に位置する。揺動軸４の下端部４２は、凸部５の上面５１に一体となっている。
【００１４】
凸部５は、上から見た状態で前方に向けて先細りする逆Ｖ字状の形状を有する。凸部５は、操作ノブ３に向けて突出する。即ち、前側の側面は、第１の側面５２と第２の側面５３であり、凸部５は、第１の側面５２と第２の側面５３を有する。第１の側面５２と第２の側面５３を上から見ると逆Ｖ字状になる。第１の側面５２と第２の側面５３とは先端５４において交差する。第１の側面５２の後側には、第３の側面５５が隣接している。第２の側面５３の後側には、第４の側面５６が隣接している。第３の側面５５及び第４の側面５６は、前後方向に延びる。凸部５の底面は、第１の開口部２１４における下側の開口壁面部２１５に位置する。なお、図３に示すように、凸部５の先端５４の左右方向の位置と、揺動軸４の中心軸Ａｘ０の左右方向の位置と、が一致する。
【００１５】
第１の開口部２１４の左右両側には、一対の押え部２２０が設けられる。押え部２２０は、前方に突出する円筒状の形状を有し、操作ノブ３を揺動する際の緩衝材である。押え部２２０の左右両側には、一対のフランジ部２３０が設けられる。フランジ部２３０は、前方に突出し、内周側が前後方向に貫通して第２の開口部２３１が設けられる。
【００１６】
図２に示すように、操作ノブ３は、長手方向である左右方向に延びる。左右方向の中央部には、支持部６がノブ本体３０から裏面側に向けて（即ち、スイッチ本体２に向けて）突出している。支持部６は、第１の脚部６１と第２の脚部６２であり、第１の脚部６１及び第２の脚部６２が裏面側に向けて突出している。第１の脚部６１及び第２の脚部６２によって、揺動軸４を支持することが可能である。第１の脚部６１及び第２の脚部６２は、一対の脚部とも称する。揺動軸４は、操作ノブ３に向けて突出し第１の脚部６１及び第２の脚部６２の間に支持可能な凸状揺動軸４０である。
【００１７】
第１の脚部６１と第２の脚部６２とは、左右方向に離隔して配置される。第１の脚部６１は、上端部６１１から下端部６１２まで上下方向に延びる。第２の脚部６２は、上端部６２１から下端部６２２まで上下方向に延びる。第１の脚部６１及び第２の脚部６２の下部には、凹部７が設けられる。本実施形態では、凹部７は、第１の傾斜面７１と第２の傾斜面７２とを有する。第１の傾斜面７１は、左右方向の中央に向かうに従って表面側に傾斜する。第２の傾斜面７２は、左右方向の中央に向かうに従って表面側に傾斜する。このように、第１の傾斜面７１と第２の傾斜面７２とは、上から見てＶ字状の形状を有する。第１の傾斜面７１と第２の傾斜面７２とが交差する谷部７３に、凸部５の先端５４が当たり、先端５４及び谷部７３を中心として操作ノブ３が揺動する。
【００１８】
第１の傾斜面７１の上端は第１の脚部６１の下側端縁６１３に配置される。第２の傾斜面７２の上端は第２の脚部６２の下側端縁６２３に配置される。第１の脚部６１及び第２の脚部６２の左右両側には、保持突起３１が左右一対に配置される。保持突起３１は、スイッチ本体２における第２の開口部２３１の内周面に保持される。保持突起３１の左右両側に押圧リブ３２が配置される。押圧リブ３２は、ノブ本体３０の裏面側に突出する。押圧リブ３２は、図３に示す押しスイッチ３５に前後方向で対向して配置される。
【００１９】
ここで、操作ノブ３を正規の姿勢でスイッチ本体２に組み付けた場合は、凸部５は第１の脚部６１及び第２の脚部６２の双方に干渉しない。しかし、操作ノブ３を正規の姿勢以外の不正規の姿勢、即ち、上下逆の姿勢でスイッチ本体２に組み付けようとすると、凸部５は第１の脚部６１の上端部６１１及び第２の脚部６２の上端部６２１の双方に干渉するため、操作ノブ３をスイッチ本体２に組み付けることができない。
【００２０】
図３は、第１実施形態に係るシーソースイッチを上から見た断面図である。図４は、スイッチ本体に設けられる凸部と操作ノブに設けられる凹部とを上から見た模式図であり、凹部の左右両側面と凸部の左右両側面とが左右均等に離隔している状態を示す図である。図５は、スイッチ本体に設けられる凸部と操作ノブに設けられる凹部とを上から見た模式図であり、凹部の左右両側面の一方と凸部の左右両側面の一方とが接触している状態を示す図である。
【００２１】
図４に示すように、凸部５は、先端５４に向かうに従って先細りする逆Ｖ字状の形状を有する。第１の側面５２と第２の側面５３との開き角はβである。第１の傾斜面７１と第２の傾斜面７２との開き角はαである。開き角αは開き角βよりも大きい。開き角αと開き角βとの差は角度γである。この角度γが操作ノブ３のストローク量となる。第１の側面５２の前側に第１の傾斜面７１が対向して配置され、第２の側面５３の前側に第２の傾斜面７２が対向して配置されている。図４の状態では、第１の側面５２と第１の傾斜面７１との交差角はγ／２であり、第２の側面５３と第２の傾斜面７２との交差角はγ／２である。即ち、操作ノブ３が揺動していない状態である操作ノブ３の非操作状態では、凸部５は凹部７に対して左右均等に配置されている。
【００２２】
図３に示すように、シーソースイッチ１を上から見ると、操作ノブ３の左側に第１押圧部３３が設けられ、右側に第２押圧部３４が設けられる。第２押圧部３４を押して操作ノブ３を揺動させると凸部５の先端５４を中心として凸部５に対して凹部７が揺動し、第２の側面５３と第２の傾斜面７２とが当接（接触）し、凹部７の揺動範囲が規制される。一点鎖線に示すように、第１の脚部６１から第２の脚部６２に向かう左右方向において、凸部５の先端５４と揺動軸４の中心軸Ａｘ０との左右方向の位置が一致する。このように、揺動軸４が第１の脚部６１及び第２の脚部６２（支持部６）に支持された状態は、操作ノブ３とスイッチ本体２との組付状態である。この組付状態において、操作ノブ３は揺動軸４を中心としてスイッチ本体２に揺動可能となる。また同時に、凸部５の先端５４を中心として凸部５に対して凹部７が揺動可能となる。
【００２３】
以上説明したように、本実施形態に係るシーソースイッチ１では、揺動軸４を有するスイッチ本体２と、揺動軸４を支持可能な支持部６を有し、揺動軸４が支持部６に支持された組付状態において揺動軸４を中心として揺動可能な操作ノブ３と、を備える。スイッチ本体２は、操作ノブ３に向けて突出する凸部５を有する。操作ノブ３を正規の姿勢でスイッチ本体に組み付けた組付状態では、凸部５が支持部６に干渉せず、操作ノブ３を正規の姿勢以外の不正規の姿勢でスイッチ本体２に組み付ける際に、凸部５が支持部６に干渉する。従って、操作ノブ３を正規の姿勢以外の不正規の姿勢でスイッチ本体２に組み付けることを抑制可能とすることができる。
【００２４】
また、操作ノブ３は、組付状態において凸部５の先端５４に当接可能な凹部７を有し、操作ノブ３を揺動させると先端５４を中心として凹部７が凸部５に対して揺動する。このように、凸部５の先端５４を中心として凹部７が凸部５に対して揺動するため、操作ノブ３が揺動する際の位置ずれが抑制される。
【００２５】
さらに、凸部５は、先端５４に向かうに従って先細りする逆Ｖ字状の形状を有し、凹部７は、凸部５よりも大きい開き角を有するＶ字状の切欠きである。従って、操作ノブ３が揺動する際の位置ずれが更に確実に抑制される。また、凹部７の開き角を調整することにより、操作ノブ３のストローク量を容易に変更することが可能となる。
【００２６】
そして、凹部７は、組付状態において、凸部５と面同士で接触することによって、揺動範囲が規制されるため、操作ノブ３のストローク量を規制してオーバーストロークを抑制することができる。
【００２７】
また、支持部６は、スイッチ本体２に向けて突出する第１の脚部６１及び第２の脚部６２（一対の脚部）であり、揺動軸４は、操作ノブ３に向けて突出し第１の脚部６１及び第２の脚部６２の間に支持可能な凸状揺動軸４０である。従って、簡単な構成で操作ノブ３を揺動可能とすることができる。
【００２８】
なお、凸部５と揺動軸４とが一体であり、凸部５の先端５４と揺動軸４の中心軸Ａｘ０との左右方向の位置が一致するため、スイッチ本体２の形状を左右対称とすることができ、スイッチ本体２の製造工数及び製造コストが低下する。
【００２９】
[第２実施形態]
次に、第２実施形態に係るシーソースイッチについて説明する。図６は、第２実施形態に係るシーソースイッチのスイッチ本体を示す斜視図である。図７は、第２実施形態に係るシーソースイッチの操作ノブを裏面側から見た斜視図である。本実施形態では、一対の脚部のうち一方の脚部が他方の脚部よりも上下方向の長さが短く、当該一方の脚部の長さ方向の端縁に凹部が配置される。以下に詳細に説明する。
【００３０】
操作ノブ３Ａの左右方向の中央部には、支持部６Ａが裏面側に向けて（即ち、スイッチ本体２Ａに向けて）突出している。支持部６Ａは、第１の脚部６１Ａ（一方の脚部）と第２の脚部６２Ａ（他方の脚部）であり、第１の脚部６１Ａ及び第２の脚部６２Ａが裏面側に向けて突出している。第１の脚部６１Ａ及び第２の脚部６２Ａによって、揺動軸４Ａを支持することが可能である。揺動軸４Ａは、操作ノブ３Ａに向けて突出し第１の脚部６１Ａ及び第２の脚部６２Ａの間に支持可能な凸状揺動軸４０Ａである。
【００３１】
第１の脚部６１Ａと第２の脚部６２Ａとは、左右方向に離隔して配置される。第１の脚部６１Ａは、上端部６１１Ａから下端部６１２Ａまで上下方向に延びる。第２の脚部６２Ａは、上端部６２１Ａから下端部６２２Ａまで上下方向に延びる。第１の脚部６１Ａは、第２の脚部６２Ａよりも上下方向の長さが短い。具体的には、第１の脚部６１Ａの上端部６１１Ａと第２の脚部６２Ａの上端部６２１Ａとは同一の高さ位置に配置される。第１の脚部６１Ａの下端部６１２Ａは、第２の脚部６２Ａの下端部６２２Ａよりも上側に配置される。第１の脚部６１Ａの下側端縁６１３Ａは、第２の脚部６２Ａの下側端縁６２３Ａよりも上側に配置される。第１の脚部６１Ａの下側端縁６１３Ａに凹部７Ａが設けられる。凹部７Ａは、第１の傾斜面７１Ａと第２の傾斜面７２Ａとを有する。
【００３２】
第１の開口部２１４の開口壁面部２１５に揺動軸４Ａ及び凸部５Ａが固定されている。揺動軸４Ａは、上下方向に延びる半円柱の形状を有する。揺動軸４Ａの上端部４１は、第１の開口部２１４における上側の開口壁面部２１５に固定される。揺動軸４Ａの下端部４２は、凸部５Ａの側面に一体に固定される。凸部５Ａは、上から見た状態で前方に向けて先細りする逆Ｖ字状の形状を有する。揺動軸４Ａの中心軸Ａｘ１と凸部５Ａの先端５４とは、操作ノブ３Ａの左右方向にずれて配置される。
【００３３】
ここで、操作ノブ３Ａを正規の姿勢以外の不正規の姿勢、即ち、上下逆の姿勢でスイッチ本体２Ａに組み付けようとすると、凸部５Ａが第２の脚部６２Ａの上端部６２１Ａに干渉するため、操作ノブ３Ａをスイッチ本体２Ａに組み付けることができない。
【００３４】
以上説明したように、本実施形態に係るシーソースイッチでは、第１の脚部６１Ａ（一方の脚部）が第２の脚部６２Ａ（他方の脚部）よりも上下方向の長さが短く、第１の脚部６１Ａの下側端縁６１３Ａに凹部７Ａが設けられる。従って、第１の脚部６１Ａの下側端縁６１３Ａという、いわばデッドスペースを有効利用することができる。また、簡単な構造で、操作ノブ３Ａを正規の姿勢以外の不正規の姿勢でスイッチ本体２Ａに組み付けることが抑制される。
【００３５】
また、第１の脚部６１Ａから第２の脚部６２Ａに向かう左右方向において、凸部５Ａの先端５４と揺動軸４Ａの中心軸Ａｘ１とがずれている。従って、凸部５Ａの先端５４と揺動軸４Ａの中心軸Ａｘ１とのずれ量を適宜に調整することができる。
【００３６】
[第３実施形態]
次に、第３実施形態に係るシーソースイッチ１Ｂについて説明する。図８は、第３実施形態に係るシーソースイッチのスイッチ本体を示す斜視図である。図９は、スイッチ本体に設けられる凸部と操作ノブに設けられる凹部とを上から見た断面図であり、右側の押圧部を押した状態を示す図である。図１０は、図９の一部を拡大した図である。図１１は、スイッチ本体に設けられる凸部と操作ノブに設けられる凹部とを上から見た模式図であり、左側の押圧部を押した状態を示す図である。図１２は、図１１の一部を拡大した図である。本実施形態では、揺動軸の中心軸と凸部の先端とは、操作ノブの左右方向にずれて配置される。以下に詳細に説明する。
【００３７】
スイッチ本体２Ｂに設けられた第１の開口部２１４の開口壁面部２１５に、揺動軸４Ｂ及び凸部５Ｂが固定されている。揺動軸４Ｂは、上下方向に延びる半円柱の形状を有する。揺動軸４Ｂの上端部４１は、第１の開口部２１４における上側の開口壁面部２１５に固定される。揺動軸４Ｂの下端部は、凸部５Ｂの上面５１に一体に固定される。凸部５Ｂは、上から見た状態で前方に向けて先細りする逆Ｖ字状の形状を有する。凹部７Ｂは、上から見た状態でＶ字状の形状を有する。揺動軸４Ｂの中心軸Ａｘ１と凸部５Ｂの先端５４とは、操作ノブ３Ｂの左右方向にずれて配置される。
【００３８】
なお、前述した第２実施形態では、揺動軸４Ａの下端部４２は凸部５Ａの側面に一体に固定される。しかし、第３実施形態では、揺動軸４Ｂの下端部４２は、凸部５Ｂの上面５１に一体に固定され、揺動軸４Ｂの中心軸Ａｘ１と凸部５Ｂの先端５４とは、操作ノブ３Ｂの左右方向にずれて配置される。
【００３９】
次いで、操作ノブ３Ｂを押したときの操作ノブ３Ｂの動きを説明する。図９及び図１０に示すように、右側の第２押圧部３４を押すと、揺動軸４Ｂ及び凸部５Ｂの先端５４を中心として操作ノブ３Ｂが揺動して右側の押圧リブ３２が右側の押しスイッチ３５を押してＯＮ状態となる。
【００４０】
一方、図１１及び図１２に示すように、左側の第１押圧部３３を押すと、揺動軸４Ｂ及び凸部５Ｂの先端５４を中心として操作ノブ３Ｂが揺動して左側の押圧リブ３２が左側の押しスイッチ３５を押してＯＮ状態となる。
【００４１】
以上説明したように、本実施形態では、凸部５Ｂの先端５４と揺動軸４Ｂの中心軸Ａｘ１とが操作ノブ３Ｂの左右方向にずれている。従って、凸部５Ｂの先端５４と揺動軸４Ｂの中心軸Ａｘ１とのずれ量を適宜に調整することができる。
【００４２】
以上、本発明の実施形態を例示したが、前記実施形態はあくまで一例であって、発明の範囲を限定することは意図していない。前記実施形態は、その他の様々な形態で実施されることが可能であり、発明の要旨を逸脱しない範囲で、種々の省略、置き換え、組み合わせ、変更を行うことができる。前記実施形態は、発明の範囲や要旨に含まれるとともに、特許請求の範囲に記載された発明とその均等の範囲に含まれる。本発明は、前記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【００４３】
例えば、実施形態では、スイッチ本体２に凸部５を設け、操作ノブ３に凹部７を設けたが、これとは逆に、スイッチ本体２に凹部７を設け、操作ノブ３に凸部５を設けてもよい。また、実施形態では、操作ノブ３を左右方向に揺動可能な構成としたが、左右方向及び上下方向に揺動可能な構成としてもよい。
【符号の説明】
【００４４】
１，１Ｂ  シーソースイッチ
２，２Ａ，２Ｂ  スイッチ本体
３，３Ｂ  操作ノブ
４，４Ａ，４Ｂ  揺動軸
４０  凸状揺動軸
５，５Ａ，５Ｂ  凸部
６  支持部
６１  第１の脚部（一方の脚部）
６２  第２の脚部（他方の脚部）
６１３Ａ  下側端縁
７，７Ａ，７Ｂ  凹部
Ａｘ０，Ａｘ１  中心軸
【図１】
2020161212.tif 000003
【図２】
2020161212.tif 000004
【図３】
2020161212.tif 000005
【図４】
2020161212.tif 000006
【図５】
2020161212.tif 000007
【図６】
2020161212.tif 000008
【図７】
2020161212.tif 000009
【図８】
2020161212.tif 000010
【図９】
2020161212.tif 000011
【図１０】
2020161212.tif 000012
【図１１】
2020161212.tif 000013
【図１２】
2020161212.tif 000014